(57)【要約】      （修正有）【課題】吊り上げ式急速組立収納ボックスを提供する。【解決手段】本発明は、扁平な半折り状態の折り畳みボックス１と、この折り畳みボックスの上方に可動的に配置された、比較的厚い牽引支持板２とを備えた吊り上げ式急速組立収納ボックスに関する。牽引支持板が複数の折り目を有し、２つの可動支持片６０と中央に吊り上げ部７２を有する底部支持片７０とに分割されることを特徴とする。ユーザーは吊り上げて吊り上げ部を抽出する。そして、２つの可動支持片によって、扁平な半折り状態の折り畳みボックスの周囲壁を作動して底板に対して直立し、次に底部支持片を押して、底部支持片を底板の上に素早く扁平に広げる。前面板と後面板の内側には、それぞれ２つの可動支持片が重ねられ、収納スペースを有する立体状態を形成し、牽引支持板で折り畳みボックスの強度を補強する。【選択図】図３
2020121807.tif 000002
【特許請求の範囲】
【請求項１】
一種の吊り上げ式急速組立収納ボックスであり、扁平な半折り状態の折り畳みボックスと、前記折り畳みボックスよりも厚さが大きく、前記折り畳みボックスの上方に移動自在に配置された牽引支持板とを備え、前記折り畳みボックスは、底板と、前記底板の四辺からそれぞれ外側に延びる前、後壁板と、左、右壁板とを有し、前記左、右壁板は、前記底板の両側で内側に折り畳まれ、前記前、後壁板と左、右壁板の四隅の端部はそれぞれ連動片で連結され、その特徴は以下の通りであり、
前記折り畳みボックスの前、後壁板の外縁は、前記牽引支持板の前側および後側に固定された前、後折り返しフラップをそれぞれ折り返し可能に延伸し、前記牽引支持板は前、後折り目を有しており、前記牽引支持板は比較的曲げやすく、前後側に位置する２つの可動支持片と前記２つの可動支持片の間に位置する底部支持片とに分けることができ、前記底部支持片の中央に前記前、後折り目と平行な中央折り目が設けられ、前記底部支持片の中心に、ユーザーが力を加えるための吊り上げ部が配置され、
前記吊り上げ部が上方に引き出され、前記２つの可動支持片によって前記折り畳みボックスの前、後壁板が底板に対して立設され、そして、左、右壁板が複数の連動片を介してそれぞれ立設された後、前記牽引支持板の底部支持片が下方に押圧され、底部支持片が底板の上部に扁平に重ねられ、２つの可動支持片は前記前、後壁板の内側面に対して折り返して畳まれ、折り畳みボックスと牽引支持板とを迅速に組立て収容空間を有する立体状態を形成することを特徴とする、吊り上げ式急速組立収納ボックス。
【請求項２】
前記吊り上げ部は、底部支持片の中央折り目の中心に配置された半円形の切込み線によって形成された上部付勢力片であり、前記上部付勢力片は、ユーザーが抜き取るために半円形の切込み線に沿って底部支持片に対して直立させることができることを特徴とする、請求項１に記載の吊り上げ式急速組立収納ボックス。
【請求項３】
前記吊り上げ部は、引っ張りコード、または留め金、または底部支持片に掘られた穿孔であることを特徴とする、請求項１に記載の吊り上げ式急速組立収納ボックス。
【請求項４】
前記左、右壁板の外縁はそれぞれ左、右折り返しフラップを延ばし、前記左、右折り返しフラップは折り返されて対応する左、右壁板の内側に接着されることを特徴とする、請求項１に記載の吊り上げ式急速組立収納ボックス。
【請求項５】
前記吊り上げ部は中央折り目に沿って前記底部支持片を曲げて突出するために上方に引き出され、そして２つの可動支持片は前記折り畳みボックスの前、後壁板を作動させるために前、後折り目に沿って曲げられ、底板に対して直立することを特徴とする、請求項１に記載の吊り上げ式急速組立収納ボックス。
【請求項６】
前記牽引支持板は、前記２つの可動支持片にそれぞれ前、後折り目に隣接して平行する第２折り目が配置されていることを特徴とする請求項１から５のいずれかに記載の吊り上げ式急速組立収納ボックス。
【請求項７】
各連動片は、前、後壁板に接続された第１フラップと、左、右壁板に接続された第２フラップとを備え、前記第１および第２フラップの間には斜め折り目を有し、前記第１フラップは、前記斜め折り目に沿って前、後壁板に折り返しして固定することができることを特徴とする、請求項１から５のいずれかに記載の吊り上げ式急速組立収納ボックス。
【請求項８】
前記第１フラップは、前、後壁板に向かって延びて位置決め片を有し、前記位置決め片と第１フラップとの接続する位置に切断線が設けられ、前記切断線は外側から内側へ斜め折り目まで延びており、前記位置決め片は斜め折り目を基準線として前壁板または後壁板に折り返しして固定されていることを特徴とする、請求項７に記載の吊り上げ式急速組立収納ボックス。
【発明の詳細な説明】
【技術分野】
【０００１】
本発明は、収納ボックスを吊り上げて迅速に組立てることができ、しかも扁平な状態に分解することができ、補強構造を備えるという利点を有する紙収納ボックスに関する技術である。
【背景技術】
【０００２】
図１に示すように、美しいパターンを印刷するために、紙ハードカバーを含む一般の収納ボックスは紙の強度が不十分で、比較的重いものを積載すると変形しやすい。紙ハードカバーを含む収納ボックスの強度の欠如を補強するために、より厚い紙の内側ボックス１０１を用いて繊細な外側ボックス１０２の内側層を緩衝する。組立てるとき、内側ボックス１０１は、２つの周りの壁板が立てられない前に、すなわち厚紙の状態で外側ボックス１０２に接着されなければならない。その後、外側ボックス１０２により、底板の周囲に複数の壁板が立設されて収容空間を有する立体形状が形成されている。しかしながら、補強され紙ハードカバーボックスは、固定された後、扁平な形状に折り返すことができず、大きな収納スペースを必要とし、そして運送コストは比較的高い。
【０００３】
また、図２に示すように、特開２０００−４３８４６号に開示されているのは、一枚の厚紙を切断して一体的に折り曲げることによって形成されている。折り畳み組立後の収納ボックス１０３は、二重底板１０４と二重壁板１０５とを有する。収納ボックスは接着固定の工程を省くことができるが、組み合わされた作業時間はより短い。ただし、内層と外層は同じ厚紙、つまり同じ材料で作られているため、折りたたみを容易にするためには、まだ薄いボール紙で作られなければならず、たとえそれが二重層構造を有していても、その強度は依然として不十分である。より厚い厚紙を使用すると、折り畳みおよび組立が容易ではなく、折り畳み及び組立てた後に、二重底板１０４の中央の固定部分１０６が継ぎ目１０７から突出するので、繊細で美しくない。さらに、収納ボックスは、ボックスに組立てられた後に容易に分解されない。
【０００４】
特に、一般的な商業習慣によれば、折り畳み収納ボックスは通常、扁平な半折り状態を組み合わせて保管および運送を容易にする。販売側に輸送され、販売業者は製品を包装するために立体状態に組立てる。しかしながら、上述した特開２０００−４３８４６号公報に記載されているように組立てる場合には、販売業者は、まず２つの締結部１０６を接合して収納ボックスを形成しなければならない。このステップは煩雑であり、消費者が包装を待つ時間を増やすだけでなく、オペレータのサービス管理にも影響を与える。
【０００５】
そこで、本発明者は長年の研究と関連分野での実用的な経験を積み重ねて、引っ張ることによって迅速に組立てることができる収納ボックスを発明し、折り畳みによる収納ができず、組立の不便、および構造強度の欠如などの従来の収納ボックスの欠点を改善することができる。
【先行技術文献】
【特許文献】
【０００６】
【特許文献１】特開第２０００−４３８４６号明細書
【発明の概要】
【発明が解決しようとする課題】
【０００７】
本発明の目的は、ユーザーが牽引支持板を吊り上げて操作して扁平半折り状態の折り畳みボックスを作動して立体状態を形成することができる吊り上げ式急速組立収納ボックスを提供することにある。牽引支持プレートによって折り畳みボックスの強度を補強しながら、使用していないときに素早く分解して扁平な状態に戻すことも可能である。
【課題を解決するための手段】
【０００８】
上記目的を達成するために、本発明は、扁平な半折り状態の折り畳みボックスと、この折り畳みボックスよりも厚さが大きく、折り畳みボックスの上方に移動自在に配置された牽引支持板とを備えた吊り上げ式急速組立収納ボックスに関する。折り畳みボックスは、底板と、底板の四辺からそれぞれ外側に延びる前、後壁板と、左、右壁板とを備える。左、右の板は、底板の両側で内側に折り畳まれ、前、後壁板と左、右壁板の四隅の端部はそれぞれ連動片で連結されている。その特徴は以下の通りである。
折り畳みボックスの前、後壁板の外縁は、牽引支持板の前側および後側に固定された前側および後側折り返しフラップをそれぞれ折り返し可能に延伸する。牽引支持板は前後に折り目を有しており、牽引支持板は比較的曲げやすく、前後２つの可動支持片とその間の底支持片とに分けることができる。前、後折り目と平行な中央折り目が底部支持片の中央に配置され、ユーザーが力を加えるための吊り上げ部が底部支持片の中心に配置されている。吊り上げ部が上方に引き出され、２つの可動支持片によって折り畳みボックスの前、後壁板が底板に対して立設されている。そして、左、右壁板が複数の連動片を介してそれぞれ立設された後、牽引支持板の底部支持片が下方に押圧され、底部支持片が底板に扁平に重ねられる。２つの可動支持片は前、後壁板の内側面に対して折り返して畳まれ、折り畳みボックスと牽引支持板とを迅速に組立、収容空間を有する立体状態を形成する。
【０００９】
以下は、各構成要素の実施形態をさらに説明する。
【００１０】
実施において、吊り上げ部は、底部支持片の中央折り目の中心に配置された半円形の切込み線によって形成された上部付勢力片である。上部付勢力片は、ユーザーが抜き取るために半円形の切込み線に沿って底部支持片に対して直立させることができる。
【００１１】
実施において、吊り上げ部は、引っ張りコード、または留め金、または底部支持片に掘られた穿孔である。
【００１２】
折り畳みボックスの左、右壁板の内側面には、折り畳みボックスよりも厚い厚さの固定支持片がそれぞれ設けられている。
【００１３】
実施において、左、右壁板の外縁はそれぞれ左右の折り返しフラップを延ばし、左右の折り返しフラップは折り返されて対応する固定支持片の内側に接着される。
【００１４】
実施において、吊り上げ部は中央折り目に沿って底部支持片を曲げるために上方に引き出され、そして２つの可動支持片は折り畳みボックスの前、後壁板を作動させるために前、後折り目に沿って曲げられ、底板に対して直立している。
【００１５】
実施において、牽引支持板には、２つの可動支持片上の前、後折り目に隣接して平行に第２折り目がそれぞれ設けられている。
【００１６】
実施において、各連動片は、前、後壁板に接続された第１フラップと、左、右壁板に接続された第２フラップとを有する。第１および第２フラップの間には斜め折り目を有する。第１フラップは、斜め折り目に沿って前、後壁板に折り返して固定することができるので、前、後壁板を底板に対して直立させると、左、右壁板を複数の連動片を通して引き上げることができる。
【００１７】
実施において、第１フラップは、前、後壁板に向かって延びて位置決め片を有し、位置決め片および第１フラップの接続する位置に切断線が設けられる。切断線は外側から内側へ斜め折り目まで延びており、位置決め片は斜め折り目を基準線として前壁板または後壁板に折り返しして固定されている。２つの可動支持片が折り畳みボックスの前壁板および後壁板を底板に対して直立するように作動させると、前壁板または後壁板に折り返しして固定された位置決め片は第１フラップが第２フラップと連動する力の方向を変えることができる。第１フラップと第２フラップとの間の抵抗が減少するので、連動片は左、右壁板を滑らかに垂直に引き上げることができる。
【００１８】
従来技術と比較して、ユーザーは牽引支持板を吊り上げて操作して扁平な折り畳みボックスを作動して迅速に立体状態を形成することができる。収納ボックスが使用されていないときに牽引支持板を逆に引き抜き、折り畳みボックスを扁平な状態に戻すことも可能である。さらに、牽引支持板と折り畳みボックスは厚さの異なる厚紙を使用し、材料費を削減することに加えて、折り畳みボックスの構造強度を強化し、従来の収納ボックスの折り畳み能力、不便な組立、および構造強度不足など様々な問題を改善できる。
【００１９】
以下、本発明の技術的手段に従って、本発明に適した実施形態を列挙し、以下の説明を図面と併せて行う。
【発明の効果】
【００２０】
本発明は、収納ボックスを吊り上げて迅速に組立てることができ、しかも扁平な状態に分解することができ、補強構造を備えるという利点を有する。
【図面の簡単な説明】
【００２１】
【図１】従来のハードカバー収納ボックスの構造図である。
【図２】従来の折り畳み収納箱の構造図である。
【図３】本発明の立体分解図である。
【図４】本発明の折り畳みボックスと固定支持片との組み合わせの概略図である。
【図５】本発明の折り畳みボックスが扁平な半折り状態と牽引支持板との分解図である。
【図６】本発明の折り畳み箱が扁平な半折り状態と牽引支持板との組み合わせ図である。
【図７】本発明の組立の概略図（１）である。
【図８】本発明の組立の概略図（２）である。
【図９】本発明の組立の概略図（３）である。
【図１０】本発明の組立の概略図（４）である。
【図１１】本発明の牽引支持板及び連動片の第二実施形態を示す図である。
【発明を実施するための形態】
【００２２】
本発明の特徴および技術的内容をより良く理解するために、以下の本発明の詳細な説明および添付の図面を参照すべきであるが、図面は参照および説明のために提供され、本発明を限定するものではない。
【００２３】
図３及び図４に示すように、本発明は、扁平な半折り状態に折り畳むことができる折り畳み式ボックス１と、この折り畳み式ボックス１を半折り状態から立体状態に組立てることを作動できる牽引支持板２とを備えた吊り上げ式の急速組立収納ボックスである。
【００２４】
折り畳み箱１は、薄い厚紙から一体的に切り出されて折り曲げられており、底板１０と、底板１０の前後両側から外側に延びている前、後壁板２０と、底板１０の左右両側からそれぞれ延びている左、右壁板３０とを備えている前、後壁板２０と左、右壁板３０と接続する四隅の端部は、それぞれ連動片４０で連結されている。
【００２５】
左、右壁板３０の外縁は、それぞれ左、右折り返しフラップ３１を伴って延びている。左、右折り返しフラップ３１は、対応する左、右壁板３０に折り返しして接着されている。あるいは、同図に示すように、左、右壁板３０の内側面には、折り畳みボックス１よりも厚い厚さの固定支持片５０がそれぞれ設けられている。左、右折り返しフラップ３１は、対応する固定支持片５０の内側面に折り返し接着されている。
【００２６】
図５および図６に示すように、折り畳みボックス１の左、右壁板３０および対応する固定支持片５０は、それぞれ底板１０の中央に向かって折り畳まれて底板１０の上方に重ね合わされる。そして、各連動片４０は、前、後壁板２０の中央に向かって折り畳まれて前、後壁板２０の上方に固定されて扁平な半折り状態を形成する。
【００２７】
牽引支持板２は、折り畳みボックス１の厚さよりも厚く、折り畳みボックス１の前、後壁板２０に対応する２つの可動支持片６０と、折り畳みボックス１の底板１０に対応する底部支持片７０とを有する。２つの可動支持片６０と底部支持片７０とは、前、後２本の折り目６１で隔てられており、その中央部に前後の折り目６１と平行な中央折り目７１が配置されている。底部支持片７０の中央には、ユーザーが力を加えるための吊り上げ部７２が設けられている。
【００２８】
上記牽引支持板２は、折り畳みボックス１の左、右壁板３０と複数の連動片４０とに半折り状態で重ね合わせられている。そして、折り畳みボックス１の前、後壁板２０の外縁はそれぞれ前、後折り返しフラップ２１を延ばし、前、後折り返しフラップ２１は牽引支持板２の２つの可動支持片６０に固定される。
【００２９】
図７及び図８に示すように、ユーザーは牽引支持板２の吊り上げ部７２を引っ張って引き抜き、底部支持片７０を握って力を加えることができる。底部支持片７０は中央折り目７１に沿って折り曲げられて突出され、２つの可動支持片６０は底部支持片７０に対して、２つの前、後折り目６１に沿って上方に曲げられる。同時に、前、後壁板２０を底板１０に対して立てることができ、左、右壁板３０および対応する固定支持片５０をそれぞれ複数の連動片４０を介して上向けに立てることができる。
【００３０】
図９及び図１０に示すように、前、後壁板２０及び左、右壁板３０を立てた後、連動片４０を対応する前、後壁板２０の内側に重ねて当接する。ユーザーは牽引支持板２の底部支持片７０を下方に押圧し、その結果、底部支持片７０は底板１０の上方に扁平に重ねられる。２つの可動支持片６０を対応する前、後壁板２０及び複数の連動片４０の内側面に折り返し、重ねて当接し、折り畳みボックス１と牽引支持板２とを素早く組立て、収容空間を有する立体状態を形成する。
【００３１】
勿論、収納ボックスを使用しないときは、牽引支持板２を折り畳みボックス１の底板１０の上方から引き出すことができ、すなわち図１０から図７の順序で逆に分解することができ、 折り畳みボックス１を扁平な半折り状態に戻す。さらに、牽引支持板と折り畳みボックスは、厚さの異なる厚紙を使用し、材料コストを削減することに加えて、折り畳みボックスの構造強度を強化し、従来の収納箱の不適切な収納及び構造強度が不十分であるという問題を改善できる。
【００３２】
ユーザーが収納ボックスの組立工程に慣れた後、図に示すように牽引支持板を片手で引き出すことができ、収納ボックスをより迅速に組立てることができる。実施において、吊り上げ部７２は、図中の引きひも、またはバックル（図示せず）、または底部支持片に切り込まれた穿孔（図示せず）等のユーザーが力を加えることができるコンポーネントはすべて実装可能である。
【００３３】
あるいは、図１１に示すように、吊り上げ部は、底部支持片７０の中央折り目７１の中央に設置された半円形の切込み線７４により形成された上部付勢力片７３である。上部付勢力片７３は、半円形の切込み線７４に沿って底部支持片７０に対して直立してユーザーが引き抜くことができる。逆に、前、後壁板２０と左、右壁板３０とを立て、底部支持片７０と底板１０とを平面的に重ね合わせると、上部付勢力片７３も底板１０と平面的に重ね合わせることができ、収納ボックス全体の内側底面を扁平に保つ。
【００３４】
また、牽引支持板２には、２つの可動支持片６０の前、後折り目６１に隣接して平行に第２折り目６２をそれぞれ設けることができる。折り畳みボックス１がより大きなサイズであるとき、２つの第２折り目６２は、２つの可動支持片６０が対応する前、後壁板２０および複数の連動片４０の内側に折り返して重ねて当接されるのを助けることができ、ユーザーが組立てるのに便利である。
【００３５】
また、図３及び図４に示すように、各連動片４０は、斜めに延びる斜め折り目４１を有しているので、連動片４０は前、後壁板２０に接続された第１フラップ４２および左、右壁板３０に接続された第２フラップ４３に分割されている。第１フラップ４２の外側には、前、後壁板２０に対向する位置決め片４４が設けられ、位置決め片４４と第１フラップ４２との交点には切断線４５が設けられている。切断線４５は、外側から内側に斜め折り目４１に延びており、位置決め片４４は、斜め折り目４１を基準として前、後壁板２０側に折り畳まれる。
【００３６】
折り畳み箱１が扁平な半折り状態にあるとき、各連動片４０の第１フラップ４２および第２フラップ４３は、内側により隣接する前、後壁板２０に畳まれて当接する。位置決め片４４は、まず斜め折り目４１に沿って内側に折り曲げられ、次に外側で前、後壁板２０に固定される。
【００３７】
前、後部壁板２０が底板１０に対して直立するとき、各連動片４０の第１および第２のフラップ４２、４３は、斜め折り目４１に沿って折り返され、次いで対応する前、後壁板の内側に重ねて当接される。これにより、左、右壁板３０が底板１０に対して直立する。連動片４０が左、右壁板３０を起立させると、前壁板または後壁板に折り返され固定された位置決め片４４を第１フラップ４２から第２フラップ４３への連動する力の方向を変えることができため、第１フラップ４２と第２フラップ４３との間の抵抗が低減され、連動片４０が左、右壁板３０をスムーズに引き上げ、垂直することができる。
【００３８】
また、図１１に示すように、連動片４０は、一般的な折り畳み方式を採用することもでき、ユーザーが牽引支持板２を引っ張ったときに扁平状な折り畳みボックスを作動して、迅速に立体状態を形成することもできる。
【００３９】
以上の説明は、本発明の好適な実施形態に過ぎず、本発明の保護範囲を限定するものではなく、本発明の説明及び添付図面を用いて全ての変更を加えたものも本発明の保護範囲に含まれる。
【符号の説明】
【００４０】
１    折り畳みボックス
２    牽引支持板
１０  底板
２０  前、後壁板  
２１  前、後折り返しフラップ
３０  左、右壁板  
３１  左、右折り返しフラップ
４０  連動片
４１  斜め折り目
４２  第１フラップ
４３  第２フラップ
４４  位置決め片
４５  切断線
５０  固定支持片
６０  可動支持片
６１  前、後折り目
６２  第２折り目
７０  底部支持片
７１  中央折り目
７２  吊り上げ部
７３  上部付勢力片
７４  切込み線
【図１】
2020121807.tif 000003
【図２】
2020121807.tif 000004
【図３】
2020121807.tif 000005
【図４】
2020121807.tif 000006
【図５】
2020121807.tif 000007
【図６】
2020121807.tif 000008
【図７】
2020121807.tif 000009
【図８】
2020121807.tif 000010
【図９】
2020121807.tif 000011
【図１０】
2020121807.tif 000012
【図１１】
2020121807.tif 000013